(57)【要約】【課題】多数本の電線の接続を行なう場合であっても、コネクタハウジング内へのモールド材の流入を防止することができる防水コネクタを提供する。【解決手段】複数本の電線５にそれぞれ接続される端子金具２０と、端子金具２０をそれぞれ収容する複数個の端子収容室２１を有するコネクタハウジング２と、端子収容室２１に挿入された電線５の周囲に設けられ、端子収容室２１の隙間に充填される隙間充填部材２８と、電線５が貫通され、コネクタハウジング２の後端部を覆うモールド材４とを備えた。【選択図】図１
2011165325.tif 000002
【特許請求の範囲】
【請求項１】
それぞれの先端に端子金具が接続された複数の電線と、
該電線の該端子金具をそれぞれ収容する複数個の端子収容室を有するコネクタハウジングと、
該端子収容室に挿入された該電線と、該端子収容室との隙間に介設される隙間充填部材とを備え、
該端子収容室に該電線を挿入し、該端子収容室と該電線との隙間に隙間充填部材を介設した状態で、
該電線が配索される該コネクタハウジングの端部に、溶融したモールド材を付着、固化させて、該コネクタハウジングの該端部を覆ったことを特徴とする防水コネクタ。
【請求項２】
請求項１記載の防水コネクタであって、
前記隙間充填部材は、
筒形状を具備し、
前記電線のそれぞれの周囲に装着されたことを特徴とする防水コネクタ。
【請求項３】
請求項１、または請求項２記載の防水コネクタであって、
前記コネクタハウジングは、
複数の前記電線にそれぞれ接続された前記端子金具を平行に、且つ１列に配索するハウジング部材を積層して構成され、
積層された該ハウジング部材の後端が前記モールド材に覆われることを特徴とする防水コネクタ。
【発明の詳細な説明】
【技術分野】
【０００１】
本発明は、コネクタハウジング内への浸水を防止するモールド材を備えた防水コネクタに関する。
【背景技術】
【０００２】
従来、防水コネクタとして、特許文献１に記載されているものが提案されている。この防水コネクタ１００は、図１０に示すように、一対の電線１０１の接続部に設けられるコネクタ部材１０２と、このコネクタ部材１０２を包み込むモールド材１０３とから構成されている。
【０００３】
上記構成では、コネクタ部材１０２を溶融したモールド材１０３が包み込んだ状態で固化することで、水などのコネクタ部材１０２内への浸入を防止することができるものである。
【先行技術文献】
【特許文献】
【０００４】
【特許文献１】特開２００９−１２３６６８号公報
【発明の概要】
【発明が解決しようとする課題】
【０００５】
ところで、溶融したモールド材でコネクタ部材を包み込む際に、コネクタ部材内に溶融したモールド材が流入しないようにしなければならない。前述した従来の防水コネクタ１００のように、少数本の電線の接続を行なうコネクタ部材１０２の場合には、コネクタ部材１０２内へのモールド材の流入を防止することは、特別な配慮をしなくても可能である。しかしながら、多数本の電線の接続を行なう防水コネクタ内にモールド材が流入しないようにすることは非常に困難であった。
【０００６】
本発明は、上記事情を考慮し、多数本の電線の接続を行なう場合であっても、コネクタハウジング内へのモールド材の流入を防止することができる防水コネクタを提供することを目的とする。
【課題を解決するための手段】
【０００７】
請求項１の発明は、それぞれの先端に端子金具が接続された複数の電線と、該電線の該端子金具をそれぞれ収容する複数個の端子収容室を有するコネクタハウジングと、該端子収容室に挿入された該電線と、該端子収容室との隙間に介設される隙間充填部材とを備え、該端子収容室に該電線を挿入し、該端子収容室と該電線との隙間に隙間充填部材を介設した状態で、該電線が配索される該コネクタハウジングの端部に、溶融したモールド材を付着、固化させて、該コネクタハウジングの該端部を覆ったことを特徴とする。
【０００８】
請求項２の発明は、請求項１記載の防水コネクタであって、前記隙間充填部材は、筒形状を具備し、前記電線のそれぞれの周囲に装着されたことを特徴とする。
【０００９】
請求項３の発明は、請求項１、または請求項２記載の防水コネクタであって、前記コネクタハウジングは、複数の前記電線にそれぞれ接続された前記端子金具を平行に、且つ１列に配索するハウジング部材を積層して構成され、積層された該ハウジング部材の後端が前記モールド材に覆われることを特徴とする。
【発明の効果】
【００１０】
請求項１の発明によれば、コネクタハウジングの端子収容室に、複数本の電線に接続される端子金具をそれぞれ収容するとともに、前記電線を挿入したとき、該電線の周囲に設けられた隙間充填部材によって端子収容室の後端部の隙間が充填されるので、コネクタハウジングの後端側にモールド材を形成する場合、該モールド材が端子収容室内へ流入することを阻止でき、端子収容室内の端子金具が接続不良などで電気的性能を損なうことを防止できる。したがって、多数本の電線の接続を行なう場合であっても、コネクタハウジングの後端側を覆うモールド材によりコネクタハウジング内への浸水を防止できる。
【００１１】
請求項２の発明によれば、請求項１の発明の効果に加えて、端子収容室の隙間に充填される隙間充填部材が電線の周囲に装着されているので、収容される電線の外径寸法が種々異なる場合であっても、その外径寸法に合わせて隙間充填部材の寸法を調整して電線の周囲に装着することによって、端子収容室の後端部の隙間を隙間充填部材で充填することができ、したがって、汎用性の高い防水コネクタが得られる。
【００１２】
請求項３の発明によれば、請求項１の発明の効果に加えて、各ハウジング部材の端子収容室に、複数本の電線と接続される端子金具をそれぞれ収容した後、各ハウジング部材を上下方向に積層して上カバー部材を装着するので、多数本の電線の接続を行なえる。
【図面の簡単な説明】
【００１３】
【図１】本発明の一実施形態を示し、防水コネクタの断面図である。
【図２】本発明の一実施形態を示し、電線と接続した端子金具をハウジング部材の端子収容室に収容する工程を説明する斜視図である。
【図３】本発明の一実施形態を示し、１段目のハウジング部材の斜視図である。
【図４】本発明の一実施形態を示し、端子金具に電線を接続した状態を示す斜視図である。
【図５】本発明の一実施形態を示し、コネクタハウジングを組み立てた状態を示す斜視図である。
【図６】本発明の一実施形態を示し、モールド材を備えたコネクタハウジングを斜め前端側から見た斜視図である。
【図７】本発明の一実施形態を示し、コネクタハウジングを斜め後端側から見た斜視図である。
【図８】本発明の一実施形態を示し、モールド材を備えたコネクタハウジングを斜め後端側から見た斜視図である。
【図９】本発明の一実施形態を示し、コネクタハウジングの一部を後端側から見た拡大図である。
【図１０】従来の防水コネクタを示す斜視図である。
【発明を実施するための形態】
【００１４】
以下、本発明の実施形態を図面を参照して説明する。
【００１５】
図１〜図９は本発明の一実施形態を示し、図１は防水コネクタの断面図、図２は電線と接続した端子金具をハウジング部材の端子収容室に収容する工程を説明する斜視図、図３は１段目のハウジング部材の斜視図、図４は端子金具に電線を接続した状態を示す斜視図、図５はコネクタハウジングを組み立てた状態を示す斜視図、図６はモールド材を備えたコネクタハウジングを斜め前端側から見た斜視図、図７はコネクタハウジングを斜め後端側から見た斜視図、図８はモールド材を備えたコネクタハウジングを斜め後端側から見た斜視図、図９はコネクタハウジングの一部を後端側から見た拡大図である。。
【００１６】
本実施形態の防水コネクタ１は、コネクタハウジング２と、このコネクタハウジング２を収容し、前端側に相手側の雄型端子（図示せず）が挿入される挿通孔３ｂと、後端側に開口３ａとが設けられる筐体３と、この筐体３の開口３ａを塞ぐように形成され、後述する電線５が貫通するモールド材４とを備えている。コネクタハウジング２は、上下方向に複数段、例えば４段積層されたハウジング部材２ａ〜２ｄおよび上カバー部材２ｅを合体することにより構成されている。
【００１７】
１段目のハウジング部材２ａには、図２および図３に示すように、雌型の端子金具２０をそれぞれ収容する複数個、例えば１０個の端子収容室２１が横方向に並列して設けられ、各端子収容室２１は、前端部から後端部にわたり角筒状に形成されている。端子収容室２１の上部には、端子収容室２１の長さ方向の中間部より前端部に向かって突出片２２が突設されるとともに、ハウジング部材２ａに上段のハウジング部材２ｂを積層しない状態では、端子収容室２１は前記突出片２２より前端側および後端側にて上方に開口している。ハウジング部材２ａの前端には、端子収容室２１と連通し、相手側の雄型端子が挿入される端子挿入口２３が設けられている。なお、２段目のハウジング部材２ｂ、３段目のハウジング部材２ｃ、および４段目のハウジング部材２ｄも、それぞれ１段目のハウジング部材２ａと同様に構成されている。
【００１８】
端子金具２０は、図示しない導電性金属板にプレス加工あるいは冷間鍛造加工などの成型加工を施すことにより一体的に形成されており、図４に示すように、前端側から挿入される相手側の雄型端子と接続される端子接続部２４と、後端側に延びる電線５と接続される電線接続部２５とから構成されている。この電線接続部２５は、電線５の先端を受け入れる円筒部２６と、電線５の先端より突出する導体部５ａに加締められる一対の加締片２７とを有している。
【００１９】
前記円筒部２６の後端側には、端子収容室２１と電線５との隙間に隙間充填部材２８が介設されている。この隙間充填部材２８は、例えば、柔軟性と弾力性を備える素材からなるゴム栓からなり、当初、図４に示すようにつば付き円筒状に形成されているが、図１〜図３に示すように、角筒状に形成される端子収容室２１に挿入されると、端子収容室２１のキャビティ形状と同様の断面矩形状に変形することにより、端子収容室２１内の隙間が充填される。また、隙間充填部材２８の後端側は、モールド材４で覆われている。
【００２０】
上記構成において、図４に示すように、端子金具２０の円筒部２５および隙間充填部材２８に電線５の先端を挿通し、円筒部２５を電線５に対して加締めることにより電線５を保持するとともに、一対の加締片２７を電線５の導体部５ａに対して加締めることにより電気的に接続する。次いで、このようにして電線５と接続した端子金具２０を、図２および図３に示すように、ハウジング部材２ａの各端子収容室２１に後端側から挿入すると、突出片２２が端子接続部２４に係合するとともに、隙間充填部材２８が変形することによって端子収容室２１の後端部の隙間が充填される。
【００２１】
このようにして電線５と接続した端子金具２０を各ハウジング部材２ａ〜２ｄにを組み込んだ後、図５および図７に示すように、ハウジング部材２ａ〜２ｄを順次積層して合体し、上カバー部材２ｅを装着することにより、コネクタハウジング２を組み立てる。次いで、図６および図８に示すように、コネクタハウジング２の後端部に溶融したモールド材４を付着、固化して、電線５を貫通させつつ、コネクタハウジング２の後端部を覆うとともに、図１に示すように、筐体３にコネクタハウジング２を挿入すると、筐体３の開口３ａがモールド材４により塞がれるので、筐体３内の防水機能が確保され、コネクタハウジング２の端子収容室２１内への水などの流入が阻止される。
【００２２】
以上のように、本実施形態の防水コネクタ１によれば、コネクタハウジング２の後端部をモールド材４で覆う際に、端子収容室２１の後端部の隙間が隙間充填部材２８により充填されており、溶融したモールド材４の端子収容室２１内への流入を阻止できるので、端子金具２０が接続不良などの電気的性能を損なうことを防止できる。したがって、多数本の電線５の接続を行なう場合であっても、コネクタハウジング２の後端部に付着したモールド材４によりコネクタハウジング２内への浸水を防止できる。
【００２３】
また、上記構成によれば、隙間充填部材２８が電線５の周囲に装着されているので、電線５の外径寸法が種々異なる場合であっても、その外径寸法に合わせて隙間充填部材２８の寸法を調整して電線５の周囲に装着することにより、端子収容室２１の後端部の隙間を隙間充填部材２８で充填することができる。したがって、汎用性の高い防水コネクタが得られる。
【００２４】
また、上記構成によれば、各ハウジング部材２ａ〜２ｄの端子収容室２１に、複数本の電線５と接続される端子金具２０をそれぞれ収容した後、各ハウジング部材２ａ〜２ｄを上下方向に積層して上カバー部材２ｅを装着するので、多数本の電線５の接続を行なえる。
【００２５】
また、上記構成によれば、コネクタハウジング２の後端部をモールド材４によって覆うことにより、コネクタハウジング２内への浸水防止を行ない、隙間充填部材２８で浸水防止を行なう必要がなく、隙間充填部材２８の変形によって端子収容室２１の隙間が充填された状態となればよいので、隙間充填部材２８の小型化を図ることができる。
【００２６】
なお、上記実施形態にあっては、隙間充填部材２８を電線５の周囲に装着した状態で端子収容室２１に挿入する場合を例示したが、本発明はこれに限らず、端子収容室内に隙間充填部材の少なくとも一部をあらかじめ設けた後、電線の先端を端子収容室内に挿入して隙間充填部材で電線の外周を覆うとともに、端子収容室の隙間を隙間充填部材で充填することもできる。
【符号の説明】
【００２７】
１  防水コネクタ
２  コネクタハウジング
２ａ〜２ｄ  ハウジング部材
２ｅ  上カバー部材
４  モールド材
５  電線
２０  端子金具
２１  端子収容室
２８  隙間充填部材
【図１】
2011165325.tif 000003
【図２】
2011165325.tif 000004
【図３】
2011165325.tif 000005
【図４】
2011165325.tif 000006
【図５】
2011165325.tif 000007
【図６】
2011165325.tif 000008
【図７】
2011165325.tif 000009
【図８】
2011165325.tif 000010
【図９】
2011165325.tif 000011
【図１０】
2011165325.tif 000012